(57)【要約】【課題】膝に障害がある人であっても、立上がる際には、テーブルに干渉することなく手を補助手段にして、簡単に立上がることができるようにした。【解決手段】前後左右の脚柱部８，９と、左右の脚柱部間に固定された座板支持板１３と、後部左右の脚柱部９，９上に立ち上げ状に形成された背もたれ枠部１１と、左右の背もたれ枠部１１，１１の上部間に形成された横桟部１４とを有する椅子本体５と、座板部６ａの後部に背もたれ部６ｂが立ち上げ状に形成された座部６と、を有し、椅子本体５の座板支持板１３の上面部に座部６が回転自在に設けられている。【選択図】      図４
2008167983.tif 000002
【特許請求の範囲】
【請求項１】
前後左右の脚柱部（８，９）と、左右の脚柱部間に固定された座板支持板（１３）と、後部左右の脚柱部（９，９）上に立ち上げ状に形成された背もたれ枠部（１１）と、左右の背もたれ枠部（１１，１１）の上部間に形成された横桟部（１４）とを有する椅子本体（５）と、
前記椅子本体（５）の前記座板支持板（１３）上に設けられた座部（６）であって、座板部（６ａ）の後部に背もたれ部（６ｂ）が立ち上げ状に形成された座部（６）と、を有する椅子において、
前記椅子本体（５）の前記座板支持板（１３）の上面部に前記座部（６）が回転自在に設けられていることを特徴とする椅子。
【請求項２】
前記椅子本体（５）は、その前後脚柱部（８，９）が水平桟部（１０）を介して一体化されると共に、左右の脚柱部は、前記座板支持板（１３）を介して結合され、後部脚柱部（９，９）の上端部の左右乃至水平桟部（１０）の後端部の左右から前記左右の背もたれ枠部（１１，１１）及び横桟部（１４）が略コ形枠状に連続して立ち上げ形成された定置構造をなし、
前記座部（６）は、その前記座板部（６ａ）と背もたれ部（６ｂ）とが略Ｌ形に一体に成形された構造であることを特徴とする請求項１記載の椅子。
【請求項３】
前記座部（６）の背もたれ部（６ｂ）の背面と前記椅子本体（５）の横桟部（１４）との間には、座部（６）を正面側に位置せしめた状態において、手掛け用の間隔が形成されていることを特徴とする請求項１又は２記載の椅子。
【請求項４】
前記横桟部（１４）の中間部分は、後方に突出状に形成されて手掛け部（１４ａ）とされていることを特徴とする請求項１乃至３のいずれか１項記載の椅子。
【請求項５】
前記座部（６）は、前記椅子本体（５）上において、少なくとも正面と左右側方位置に、その回動位置が係止されることを特徴とする請求項１乃至４のいずれか１項記載の椅子。
【請求項６】
下面が前記座板支持板（１３）に固定され、上面が前記座板部（６ａ）に固定された回動支持プレート（７）を介して、前記座部（６）を回動可能に支持したことを特徴とする請求項１乃至５のいずれか１項記載の椅子。
【請求項７】
前記回動支持プレート（７）の相対回転面には、所望角度回動毎に互いに係合するクリックストッパ部を設けたことを特徴とする請求項６記載の椅子。
【発明の詳細な説明】
【技術分野】
【０００１】
本発明は、老人や障害者など膝の屈伸が不自由な人であっても、容易に椅子から離れて立上がることができるようにした椅子に関するものである。
【背景技術】
【０００２】
関節痛などにより、膝の屈伸が不自由な人の場合、椅子から離れて立上がるために、肘掛椅子の場合には肘掛に手をかけて立上がるようにしている。しかし、椅子の前にテーブルなどがあると、腰を引いてテーブルから離れなければ、肘掛に手をかけて立上がる、という動作はできない。
【０００３】
その一方で、キャスターによる移動が可能であって、座部を脚部に支持する支持軸に対して座部を旋回自在とした事務椅子が一般に用いられている。
【０００４】
この種の事務椅子では、椅子に座る人の机に対する離接、方向転換などを足先や腰のひねりなど、少し力を加えるだけで自在に行うことができるため、執務上きわめて軽快で便利なものとなる。
【発明の開示】
【発明が解決しようとする課題】
【０００５】
しかし、事務室など執務空間に用いられる機能一点張の椅子とは異なり、一般に食卓用の椅子は木質や木目調のデザインが多く、テーブルとセットで販売されるか、該テーブルに見合ったデザイン的に類似するものが提供されるのであり、その機能としても、座部の回転や移動用のキャスターを備えることはない。
【０００６】
なお、食卓用の椅子にも前述の回転・移動機能を備えた場合には、健常な人には適合できるとしても、前記のような膝に障害がある人にとってはかえって不安定な座り心地となり、かつ立上がる際に背もたれなどに手をかけこれを支点として立上がろうとした場合には、椅子が思わぬ方向に移動してしまい、事故を生ずる可能性があり、却って危険となる。
【０００７】
本発明は、以上の課題を解決するものであり、その目的とするところは、食卓用のテーブルに見合ったキャスターのない４本足の定置式の椅子であって、膝に障害がある人であっても、立上がる際には、テーブルに干渉することなく手を補助手段にして、簡単に立上がることができるようにした椅子を提供するものである。
【課題を解決するための手段】
【０００８】
前記目的を達成するため、本発明は、図の実施の形態にもしめされるように、前後左右の脚柱部８，９と、左右の脚柱部間に固定された座板支持板１３と、後部左右の脚柱部９，９上に立ち上げ状に形成された背もたれ枠部１１と、左右の背もたれ枠部１１，１１の上部間に形成された横桟部１４とを有する椅子本体５と、前記椅子本体５の前記座板支持板１３上に設けられた座部６であって、座板部６ａの後部に背もたれ部６ｂが立ち上げ状に形成された座部６と、を有する椅子において、前記椅子本体５の前記座板支持板１３の上面部に前記座部６が回転自在に設けられていることを特徴としている。
【０００９】
望ましい実施の形態として、前記椅子本体５は、その前後脚柱部８，９が水平桟部１０を介して一体化されると共に、左右の脚柱部は、前記座板支持板１３を介して結合され、後部脚柱部９，９の上端部の左右乃至水平桟部１０の後端部の左右から前記左右の背もたれ枠部１１，１１及び横桟部１４が略コ形枠状に連続して立ち上げ形成された定置構造をなし、前記座部６は、その前記座板部６ａと背もたれ部６ｂとが略Ｌ形に一体に成形された構造とされている。
【００１０】
前記座部６の背もたれ部６ｂの背面と前記椅子本体５の横桟部１４との間には、座部６を正面側に位置せしめた状態において、手掛け用の間隔が形成されていることを特徴としている。
【００１１】
前記横桟部１４の中間部分は、後方に湾曲突出状に形成されて手掛け部１４ａとされていることが望ましい。
【００１２】
前記座部６は、前記椅子本体５上において、少なくとも正面と左右側方位置に、その回動位置が係止されることが望ましい。
【００１３】
下面が前記座板支持板１３に固定され、上面が前記座板部６ａに固定された回動支持プレート７を介して、前記座部６を回動可能に支持することができる。
【００１４】
前記回動支持プレート７の相対回転面には、所望角度回動毎に互いに係合するクリックストッパ部を設けることができる。
【発明の効果】
【００１５】
本発明では、椅子から離れて立上がる際には、腰掛姿勢で座部を９０°回動して横向きとなり、テーブルおよび横桟部に手を掛け、これを手掛りとして膝を伸すことにより、苦痛を生ずることなく、簡単に立上がることができる。この場合、本発明にかかる椅子は４本脚の定置式であって、椅子自体移動するということがないから、上記の横向きの動作が安定する。
【００１６】
また、座部の背もたれ部の背面と椅子本体の横桟部との間には、手掛け用の間隔が形成されていることから、手掛け部を持ってテーブル回りを容易に移動でき、老人又は障害者用施設の椅子として移動の安全性を確保する上で適している。
【００１７】
請求項７の発明では、所要角度変換位置でクリック音を発しつつ固定されるため、その変換角度位置に座部を安定して停止できる。
【発明を実施するための最良の形態】
【００１８】
以下、本発明の最良の形態につき添付図面を参照して詳細に説明する。図１は、本発明に係る椅子とテーブルとの位置関係を示す斜視図、図２は同椅子の分解斜視図、図３は同組立状態を示す中央断面図、図４（ａ），（ｂ）は同椅子の姿勢変化状態を示す斜視図、図５（ａ），（ｂ），（ｃ）は同椅子に座っている状態から立上がり状態までの経緯を示す説明図である。
【００１９】
図１において、テーブル１は、集成合板に熱圧を掛けて曲成することによって造形される木目調の意匠形状をなし、正方形をなす天板２と、天板２の四隅四半円弧状に切り欠かれた切欠き部に一体的に垂設された脚部３とを備え、天板２の各辺に一脚の本発明の実施例に係る椅子４が対向配置され、四人掛の席としている。このテーブル１の各脚部３は、３本の脚杆３ａの集合体からなっている。
【００２０】
前記各椅子４は、前記テーブル１の意匠に合わせて造形された木目調のものであり、椅子本体５と、座部６、および図２、３に示すように、椅子本体５と座部６間を回動可能に連結する回動支持プレート７とからなっている。
【００２１】
椅子本体５は、前記と同様に集成合板に熱圧を掛けて曲成することによって形成される前後左右の脚柱部８，９と、脚柱部８，９上に連続して一体化されて前後の脚柱部８，９を連結する水平桟部１０と、水平桟部１０の後部に連続して斜めに立上がる背もたれ枠部１１とからなる一対の曲成材を備える。
【００２２】
そして、左右両水平桟部１０間を、所定厚みの矩形状をなす、水平な座板支持板１３により一体的に連結するとともに、両背もたれ枠部１１の上部間を後方にやや湾曲した横桟部１４により一体的に連結することにより、椅子本体５を構成している。左右の背もたれ枠部１１と横桟部１４とは、開放部を下向きにした略コ形に一体に形成されている。座板支持板１３は、その前縁と後縁を円弧状に突出した形状とするなど、適宜変形された形状とすることができる。
【００２３】
前記座部６は、椅子４の利用者が実際に腰掛ける部分を構成するものであって、この座部６も前記と同様に集成合板に熱圧を掛けて曲成した一枚の木目調のものからなり、前縁が下方に向けて湾曲上に立ち下げられたほぼ水平な座板部６ａの後部に略Ｌ形に一体に斜めに立ち上げされた背もたれ部６ｂを一体成形したものであり、座部６の回動時に背もたれ部６ｂが前記椅子本体５側の背もたれ枠部１１に干渉することを避けるべく、やや離して取付けられてるとともに、前記背もたれ枠部１１よりその高さを高くしてある。背もたれ枠部１１の背面と横桟部１４との間には、手掛け空間が形成されている。横桟部１４の中間部分は後方に突出状に湾曲されることにより手掛け部１４ａとされている。
【００２４】
前記回動支持プレート７は、相対回転可能であって、所定厚みで正方形をなす二枚の鋼板製プレートからなり、四隅を前記支持板１３に４つの木ねじ固定具Ｂを介して固定される下部プレート７ａと、正規位置で下部プレート７ａと４５°の交叉角度をなして配置され、かつその四隅を４つの木ねじ固定具Ｂを介して座部６の底面に固定される上部プレート７ｂと、特に図３の円Ａ内に一部拡大して示すように、前記プレート７ａ，７ｂの中心位置において両プレート７ａ，７ｂを回動可能に連結し、下端が支持板１３の中心下部に突出する連結軸１５と、連結軸１５の下端にワッシャＷを介してねじ込み固定されるナットＮとを備えている。
【００２５】
前記連結軸１５は、プレート７ａ，７ｂの回転中心軸を兼用したものである。また、下部プレート７ａの上面周縁の４箇所には、特に図３の円Ｂ内に拡大して示すように、両プレート７ａ，７ｂの回動をスムーズにするための玉１６が回転可能に設けられている。
【００２６】
前記玉１６に対応して、上部プレート７ａの下面４箇所にはこれにはまりこむ窪み１７が形成されており、図３、および図４（ａ）に示す座部６の椅子本体５に対する正規位置（正面側位置）に安定して固定することができる。また、この状態から図４（ｂ）に示すように、座部６を椅子本体５から右または左に回動すると、窪み１７が玉１６を乗越えることによって、上部プレート７ｂは、玉１６の転動により、スムーズな回動がなされ、９０°回動変換位置で、再度玉１６がクリック音を発しつつ窪み１７に入り込み、この位置に安定して固定される。
【００２７】
なお、図３のＢ部拡大図において、符号６ｃは座板部６ｂの下面と上部プレート７ｂ間に介在されたくさび上のスペーサである。このスペーサ６ｃは座板部６ａの座り心地性を確保するために、座板部６ａは水平でなく、やや後傾側に傾斜しているために、上部プレート７ｂとの取付性を確保するために介在されたものである。
【００２８】
次に、以上の構成の椅子５による作用について、図５を用いて説明する。まず、（ａ）は椅子４に座ってテーブル１に対面している場合を示しており、利用者が座部６に腰掛けている状態では、前記玉１６と窪み１７が係合することで、座部６はみだりに回動することはなく、安定した状態でテーブル１に対面できる。
【００２９】
この状態から、利用者が立上がる場合には、腰を僅かにひねることにより、窪み１７が玉１６から掛けはずれ、それ以降はスムーズな回動がなされ、（ｂ）に示すように、椅子本体５に対し、座部６が９０°回動位置でクリック音を発しつつ、玉１６に窪み１７が再係合し、座部６はこの角度位置に停止し、膝をテーブル１の下部から外すことができる。    
【００３０】
この回動角度位置で、利用者の両手をテーブル１と、椅子本体５の横桟１４上におき、腕力を利用して矢印に示す、立上がり動作を行うことで、膝に全体重を掛けることなく、立上がることができ、（ｃ）に示すように、椅子４から離れることができる。なお、立上がり状態から座部６に腰を掛け、テーブル１に対面するには、前記とは逆に（ｃ）〜（ａ）の順序で行えばよいことは勿論であり、いずれにあっても膝に過度の負担を生じさせることなく腰掛けと立上がりの動作を行うことができるのである。
【００３１】
以上の実施形態では、テーブル１に組合わされる椅子を全て本発明に係る椅子４としたが、膝に障害を抱える人のみ本発明に係る椅子４とし、残りを従来の固定式の椅子としても良く、テーブルも自由に選択できることは勿論である。
【図面の簡単な説明】
【００３２】
【図１】本発明に係る椅子とテーブルとの位置関係を示す斜視図である。
【図２】同椅子の分解斜視図である。
【図３】同組立状態の一部拡大部分Ａ，Ｂを含む断面図である。
【図４】（ａ），（ｂ）は同椅子の姿勢変化状態を示す斜視図である。
【図５】（ａ），（ｂ），（ｃ）は同椅子に座っている状態から立上がり状態までの動作順序を示す説明図である。
【符号の説明】
【００３３】
４  椅子
５  椅子本体
６  座部
６ａ  座板部
６ｂ  背もたれ部
７  回動支持プレート
７ａ  下部部レート
７ｂ  上部プレート
８，９  脚柱部
１０  水平桟部
１１  背もたれ枠部
１３  支持板
１４  横桟部、１４ａ  手掛け部
１５  回動中心軸
１６、１７  クリックストッパ部（１６  玉、１７  窪み）
【図１】
2008167983.tif 000003
【図２】
2008167983.tif 000004
【図３】
2008167983.tif 000005
【図４】
2008167983.tif 000006
【図５】
2008167983.tif 000007